(57)【要約】【課題】測定対象に応じて出射光量を調整可能な分析装置を提供する。【解決手段】この血液分析装置（分析装置）１は、試薬と血液とから測定試料を調製する試料調製部４１と、試料調製部４１により調製された測定試料を含む試料流を形成するシースフローセル５０３と、試料流に光を出射するＬＤ５０１ｄと、試料流から出射される光を受光して電気信号に変換するＰＤ５０６、５１１およびＡＰＤ５１２と、ＰＤ５０６、５１１およびＡＰＤ５１２から出力された電気信号に基づいて測定試料を分析する制御部３０１と、ＬＤ５０１ｄから出射される出射光量を選択する選択回路５０１ｉとを備えている。そして、ＬＤ５０１ｄは、選択回路５０１ｉにより選択された出射光量の光を出射するように構成されている。【選択図】図５
2008241672.tif 000002
【特許請求の範囲】
【請求項１】
生体試料中の成分を測定する分析装置であって、
試薬と生体試料とから測定試料を調製する試料調製部と、
前記試料調製部により調製された測定試料を含む試料流を形成するフローセルと、
前記試料流に光を出射する出射部と、
前記試料流から出射される光を受光して電気信号に変換する第１受光部と、
前記第１受光部から出力された電気信号に基づいて測定試料を分析する分析部と、
前記出射部から出射される出射光量を選択する選択手段とを備え、
前記出射部は、前記選択手段により選択された出射光量の光を出射するように構成されている、分析装置。
【請求項２】
測定モードを受け付ける入力部をさらに備え、
前記選択手段は、前記入力部により受け付けた測定モードに基づいて出射光量を選択するように構成されている、請求項１に記載の分析装置。
【請求項３】
前記出射部に駆動電流を供給する駆動回路と、前記出射部に駆動電流を供給するように前記駆動回路を制御する第１制御部とをさらに備え、
前記第１制御部は、前記選択手段により選択された出射光量に対応する駆動電流を前記出射部に供給するように、前記駆動回路を制御する、請求項１または２に記載の分析装置。
【請求項４】
前記第１制御部は、前記選択手段により選択された出射光量と、前記出射部から出射された出射光量とを比較するとともに、前記出射部から出射された出射光量が前記選択手段により選択された出射光量に近づくように前記駆動回路を制御する、請求項３に記載の分析装置。
【請求項５】
前記出射部から出射された光を受光して電気信号に変換する第２受光部をさらに備え、
前記第１制御部は、前記第２受光部から出力された電気信号に基づいて前記出射部から出射された出射光量を検出する検出部を含む、請求項４に記載の分析装置。
【請求項６】
前記出射部に供給される駆動電流に重畳される信号を生成するための発振回路と、前記選択手段により選択された出射光量に応じて前記発振回路を制御するための第２制御部とをさらに備える、請求項３〜５のいずれか１項に記載の分析装置。
【請求項７】
前記第２制御部は、前記選択手段により選択された出射光量に応じて前記発振回路に供給するバイアス電圧を調整するバイアス電圧調整回路を含む、請求項６に記載の分析装置。
【請求項８】
前記生体試料は、血液を含む、請求項１〜７のいずれか１項に記載の分析装置。
【請求項９】
前記選択手段は、測定モードに基づいて出射光量を選択するように構成されており、
前記測定モードは、白血球分類測定モード、網状赤血球測定モードおよび血小板測定モードを含む、請求項８に記載の分析装置。
【請求項１０】
前記選択手段は、前記白血球分類測定モード、前記網状赤血球測定モードおよび前記血小板測定モードにおいて、それぞれ異なる出射光量を選択するように構成されている、請求項９に記載の分析装置。
【請求項１１】
前記分析部は、
前記白血球分類測定モード時において、前記出射部が第１の出射光量で光を出射することにより、前記第１受光部から出力された第１電気信号に基づいて第１分布図を作成する第１分布図作成手段と、
前記網状赤血球測定モード時において、前記出射部が第２の出射光量で光を出射することにより、前記第１受光部から出力された第２電気信号に基づいて第２分布図を作成する第２分布図作成手段と、
前記血小板測定モード時において、前記出射部が第３の出射光量で光を出射することにより、前記第１受光部から出力された第３電気信号に基づいて第３分布図を作成する第３分布図作成手段とを含む、請求項１０に記載の分析装置。
【請求項１２】
生体試料中の成分を測定する分析装置であって、
試薬と生体試料とから測定試料を調製する試料調製部と、
前記試料調製部により調製された測定試料を含む試料流を形成するフローセルと、
前記試料流に光を出射する出射部と、
前記試料流から出射される光を受光して電気信号に変換する第１受光部と、
前記第１受光部から出力された電気信号に基づいて測定試料を分析する分析部と、
測定モードを受け付ける入力部と、
前記入力部により受け付けた測定モードに応じた出射光量の光を出射するように前記出射部を制御する第１制御部とを備えた、分析装置。
【発明の詳細な説明】
【技術分野】
【０００１】
本発明は、分析装置に関し、特に、生体試料の成分を測定する分析装置に関する。
【背景技術】
【０００２】
従来、生体試料の成分を測定する分析装置が知られている（たとえば、特許文献１参照）。
【０００３】
上記特許文献１には、電気抵抗方式により測定を行う測定部と、フローサイトメトリー方式により測定を行う測定部とを備え、血液（生体試料）中の血小板を測定する粒子分析装置が開示されている。
【０００４】
ここで、フローサイトメトリー方式による測定では、血小板のように小さい粒子の測定精度の向上を図るために、出射部の出射光量を大きくすることが考えられる。
【０００５】
【特許文献１】特開２０００−２７５１６３号公報
【発明の開示】
【発明が解決しようとする課題】
【０００６】
しかしながら、上記したように、血小板のように小さい粒子の測定精度の向上を図るために、出射部の出射光量を大きくすれば、白血球などのその他の粒子（血小板よりも大きい粒子）の測定を行うのが困難になる場合があるという問題点がある。
【０００７】
この発明は、上記のような課題を解決するためになされたものであり、この発明の１つの目的は、測定対象に応じて出射光量を調整可能な分析装置を提供することである。
【課題を解決するための手段および発明の効果】
【０００８】
上記目的を達成するために、この発明の第１の局面における分析装置は、生体試料中の成分を測定する分析装置であって、試薬と生体試料とから測定試料を調製する試料調製部と、試料調製部により調製された測定試料を含む試料流を形成するフローセルと、試料流に光を出射する出射部と、試料流から出射される光を受光して電気信号に変換する第１受光部と、第１受光部から出力された電気信号に基づいて測定試料を分析する分析部と、出射部から出射される出射光量を選択する選択手段とを備え、出射部は、選択手段により選択された出射光量の光を出射するように構成されている。
【０００９】
この発明の第１の局面による分析装置では、上記のように、出射部から出射される出射光量を選択する選択手段を設けることによって、選択手段により、測定対象に応じて出射光量を調整することができる。このため、たとえば、白血球のように大きい粒子の測定を行う際に、出射光量を小さくするとともに、血小板のように小さい粒子の測定を行う際に、出射光量を大きくするようにすれば、大きい粒子の測定を行うのが困難になるのを抑制しながら、小さい粒子の測定精度を向上させることができる。
【００１０】
上記第１の局面による分析装置において、好ましくは、測定モードを受け付ける入力部をさらに備え、選択手段は、入力部により受け付けた測定モードに基づいて出射光量を選択するように構成されている。このように構成すれば、入力部により測定モードを設定することにより、容易に、測定対象に応じて出射光量を調整することができる。
【００１１】
上記第１の局面による分析装置において、好ましくは、出射部に駆動電流を供給する駆動回路と、出射部に駆動電流を供給するように駆動回路を制御する第１制御部とをさらに備え、第１制御部は、選択手段により選択された出射光量に対応する駆動電流を出射部に供給するように、駆動回路を制御する。このように構成すれば、第１制御部により、選択手段により選択された出射光量に対応する駆動電流を駆動回路から出射部に供給することができるので、容易に、測定対象に応じて出射光量を調整することができる。
【００１２】
上記第１制御部を備える分析装置において、好ましくは、第１制御部は、選択手段により選択された出射光量と、出射部から出射された出射光量とを比較するとともに、出射部から出射された出射光量が選択手段により選択された出射光量に近づくように駆動回路を制御する。このように構成すれば、環境温度などに起因して、出射部から出射された出射光量が選択手段により選択された出射光量と異なる場合に、出射部から出射された出射光量が選択手段により選択された出射光量に近づくようにすることができる。このため、出射部から出射された出射光量と選択手段により選択された出射光量とにばらつきが発生するのを抑制することができるので、測定精度が低下するのを抑制することができる。
【００１３】
この場合において、好ましくは、出射部から出射された光を受光して電気信号に変換する第２受光部をさらに備え、第１制御部は、第２受光部から出力された電気信号に基づいて出射部から出射された出射光量を検出する検出部を含む。このように構成すれば、第１制御部により、検出部により検出された出射部から出射された出射光量に基づいて、駆動回路が出射部に供給する駆動電流を調整することができるので、容易に、出射部から出射された出射光量が選択手段により選択された出射光量に近づくようにすることができる。
【００１４】
上記第１制御部を備える分析装置において、好ましくは、出射部に供給される駆動電流に重畳される信号を生成するための発振回路と、選択手段により選択された出射光量に応じて発振回路を制御するための第２制御部とをさらに備える。このように構成すれば、第２制御部により、選択された出射光量に応じて発振回路が駆動電流に重畳する信号を調整することができるので、選択された出射光量にかかわらず、出射部から出射される光を発振波長が多数あるマルチモード化することができる。これにより、出射部から出射される光が単一の発振波長を有するシングルモードである場合に問題となる、発振モードが他のモードに変化するモードホッピングが発生するのを抑制することができるので、測定精度が低下するのを抑制することができる。
【００１５】
この場合において、好ましくは、第２制御部は、選択手段により選択された出射光量に応じて発振回路に供給するバイアス電圧を調整するバイアス電圧調整回路を含む。このように構成すれば、バイアス電圧調整回路により、容易に、選択された出射光量に応じて発振回路が駆動電流に重畳する信号を調整することができる。
【００１６】
上記第１の局面による分析装置において、好ましくは、生体試料は、血液を含む。このように構成すれば、血液中の白血球、網状赤血球および血小板などを測定することができる。
【００１７】
上記生体試料が血液を含む場合において、好ましくは、選択手段は、測定モードに基づいて出射光量を選択するように構成されており、測定モードは、白血球分類測定モード、網状赤血球測定モードおよび血小板測定モードを含む。このように構成すれば、白血球分類測定モード時に、白血球の測定に適した出射光量で測定すれば、血液中の白血球を正確に計数および分類することができる。また、網状赤血球測定モード時に、網状赤血球の測定に適した出射光量で測定すれば、血液中の網状赤血球を正確に計数することができる。また、血小板測定モード時に、血小板の測定に適した出射光量で測定すれば、血液中の血小板を正確に計数することができる。
【００１８】
上記測定モードに基づいて出射光量を選択する選択手段を備える分析装置において、好ましくは、選択手段は、白血球分類測定モード、網状赤血球測定モードおよび血小板測定モードにおいて、それぞれ異なる出射光量を選択するように構成されている。このように構成すれば、容易に、各測定モード時に各測定対象に適した出射光量で測定することができる。
【００１９】
この場合において、好ましくは、分析部は、白血球分類測定モード時において、出射部が第１の出射光量で光を出射することにより、第１受光部から出力された第１電気信号に基づいて第１分布図を作成する第１分布図作成手段と、網状赤血球測定モード時において、出射部が第２の出射光量で光を出射することにより、第１受光部から出力された第２電気信号に基づいて第２分布図を作成する第２分布図作成手段と、血小板測定モード時において、出射部が第３の出射光量で光を出射することにより、第１受光部から出力された第３電気信号に基づいて第３分布図を作成する第３分布図作成手段とを含む。このように構成すれば、使用者は第１〜第３分布図を見ることにより、各測定モード時において、各測定対象に適した出射光量で測定した測定結果を視覚的に認識することができる。
【００２０】
この発明の第２の局面における分析装置は、生体試料中の成分を測定する分析装置であって、試薬と生体試料とから測定試料を調製する試料調製部と、試料調製部により調製された測定試料を含む試料流を形成するフローセルと、試料流に光を出射する出射部と、試料流から出射される光を受光して電気信号に変換する第１受光部と、第１受光部から出力された電気信号に基づいて測定試料を分析する分析部と、測定モードを受け付ける入力部と、入力部により受け付けた測定モードに応じた出射光量の光を出射するように出射部を制御する第１制御部とを備えている。
【００２１】
この発明の第２の局面による分析装置では、上記のように、入力部により受け付けた測定モードに応じた出射光量の光を出射するように出射部を制御する第１制御部を設けることによって、第１制御部により、測定モードに応じて出射光量を調整することができる。このため、たとえば、白血球のように大きい粒子の測定を行う測定モード時に、出射光量を小さくするとともに、血小板のように小さい粒子の測定を行う測定モード時に、出射光量を大きくするようにすれば、大きい粒子の測定を行うのが困難になるのを抑制しながら、小さい粒子の測定精度を向上させることができる。
【発明を実施するための最良の形態】
【００２２】
以下、本発明の実施形態を図面に基づいて説明する。
【００２３】
図１は、本発明の一実施形態による血液分析装置を示した斜視図である。図２〜図６は、図１に示した一実施形態による血液分析装置の構成を説明するための図である。まず、図１〜図６を参照して、本発明の一実施形態による血液分析装置１の構成について説明する。なお、血液分析装置１は、血液検査を行うための多項目自動血球分析装置として構成されているが、以下の説明では、血液中の白血球、網状赤血球および血小板の測定に関してのみ説明する。
【００２４】
本発明の一実施形態による血液分析装置１は、図１に示すように、生体試料である血液の測定を行う機能を有する測定部２と、測定部２から出力された測定結果を分析して分析結果を得るデータ処理部３とにより構成されている。測定部２は、フローサイトメトリー法により、血液中の白血球、網状赤血球および血小板の測定を行うように構成されている。なお、フローサイトメトリー法とは、測定試料を含む試料流を形成するとともに、その試料流にレーザ光を照射することによって、測定試料中の粒子（血球）が発する前方散乱光、側方散乱光および側方蛍光を検出する粒子（血球）の測定方法である。
【００２５】
測定部２は、図２に示すように、装置機構部４と、測定試料の測定を行う検出部５と、検出部５の出力に対するアナログ処理部６と、表示・操作部７と、測定部２を制御するためのマイクロコンピュータ部８とを備えている。
【００２６】
また、装置機構部４には、試薬と血液とから測定試料を調製する試料調製部４１が設けられている。試料調製部４１は、白血球測定用試料と、網状赤血球測定用試料と、血小板測定用試料とを調製するために設けられている。試料調製部４１は、図３に示すように、血液が所定量充填されている採血管４１ａと、血液が吸引されるサンプリングバルブ４１ｂと、反応チャンバ４１ｃとを含んでいる。採血管４１ａは、取り替え可能であり、血液の交換を行うことが可能であるように構成されている。また、サンプリングバルブ４１ｂは、吸引ピペット（図示せず）により吸引された採血管４１ａの血液を所定の量だけ定量する機能を有する。また、サンプリングバルブ４１ｂは、吸引された血液に所定の薬剤を混合することが可能となるように構成されている。つまり、サンプリングバルブ４１ｂは、所定量の血液に所定量の薬剤が混合された希釈試料を生成可能に構成されている。反応チャンバ４１ｃは、サンプリングバルブ４１ｂから供給される希釈試料に所定の染色液をさらに混合して所定の時間反応させるように構成されている。これにより、試料調製部４１は、白血球測定用試料として、白血球が染色されるとともに、赤血球が溶血された測定試料を調製する機能を有する。また、試料調製部４１は、網状赤血球測定用試料として、網状赤血球が染色された測定試料を調製するとともに、血小板測定用試料として、血小板が染色された測定試料を調製する機能を有する。
【００２７】
また、装置機構部４は、白血球分類測定（以下、「ＤＩＦＦ測定」という）モード時に、白血球測定用試料をシース液とともに試料調製部４１から後述するシースフローセル５０３（図４参照）に供給するように構成されている。また、装置機構部４は、網状赤血球測定（以下、「ＲＥＴ測定」という）モード時に、網状赤血球測定用試料をシース液とともに試料調製部４１からシースフローセル５０３に供給するように構成されている。また、装置機構部４は、血小板測定（以下、「ＰＬＴ測定」という）モード時に、血小板測定用試料をシース液とともに試料調製部４１からシースフローセル５０３に供給するように構成されている。
【００２８】
検出部５は、図４に示すように、レーザ光を出射する発光部５０１と、照射レンズユニット５０２と、レーザ光が照射されるシースフローセル５０３と、発光部５０１から出射されるレーザ光が進む方向の延長線上に配置されている集光レンズ５０４、ピンホール５０５およびＰＤ（フォトダイオード）５０６と、発光部５０１から出射されるレーザ光が進む方向と交差する方向に配置されている集光レンズ５０７、ダイクロイックミラー５０８、光学フィルタ５０９、ピンホール５１０およびＰＤ５１１と、ダイクロイックミラー５０８の側方に配置されているＡＰＤ（アバランシェフォトダイオード）５１２とを含んでいる。
【００２９】
発光部５０１は、シースフローセル５０３の内部を通過する測定試料を含む試料流に対して光を出射するために設けられている。また、照射レンズユニット５０２は、発光部５０１から出射された光を平行光にするために設けられている。また、ＰＤ５０６は、シースフローセル５０３から出射された前方散乱光を受光するために設けられている。なお、シースフローセル５０３から出射された前方散乱光により、測定試料中の粒子（血球）の大きさに関する情報を得ることが可能である。
【００３０】
ダイクロイックミラー５０８は、シースフローセル５０３から出射された側方散乱光および側方蛍光を分離するために設けられている。具体的には、ダイクロイックミラー５０８は、シースフローセル５０３から出射された側方散乱光をＰＤ５１１に入射させるとともに、シースフローセル５０３から出射された側方蛍光をＡＰＤ５１２に入射させるために設けられている。また、ＰＤ５１１は、側方散乱光を受光するために設けられている。なお、シースフローセル５０３から出射された側方散乱光により、測定試料中の粒子（血球）の核の大きさなどの内部情報を得ることが可能である。また、ＡＰＤ５１２は、側方蛍光を受光するために設けられている。なお、シースフローセル５０３から出射された側方蛍光により、測定試料中の粒子（血球）の染色度合いに関する情報を得ることが可能である。また、ＰＤ５０６、５１１およびＡＰＤ５１２は、それぞれ、受光した光信号を電気信号に変換する機能を有する。
【００３１】
ここで、本実施形態では、発光部５０１は、ＤＩＦＦ測定モード時に３．４ｍＷの出力で光を出射するように構成されている。また、発光部５０１は、ＲＥＴ測定モード時に６ｍＷの出力で光を出射するように構成されている。また、発光部５０１は、ＰＬＴ測定モード時に１０ｍＷの出力で光を出射するように構成されている。また、発光部５０１は、図５に示すように、発光部本体５０１ａと、発光部本体５０１ａから出射される出射光量を制御するＡＰＣ（Ａｕｔｏｍａｔｉｃ  ｐｏｗｅｒ  Ｃｏｎｔｒｏｌ）回路５０１ｂと、高周波バイアス電圧調整回路５０１ｃとを含んでいる。
【００３２】
また、本実施形態では、発光部本体５０１ａは、シースフローセル５０３の試料流に光を出射するＬＤ（レーザダイオード）５０１ｄと、ＬＤ５０１ｄから出射された光を受光するＰＤ５０１ｅと、高周波発振回路５０１ｆとを有する。ＰＤ５０１ｅは、受光した光信号を電気信号に変換する機能を有する。高周波発振回路５０１ｆは、ＬＤ５０１ｄに供給される駆動電流に重畳される信号を生成するために設けられている。すなわち、高周波発振回路５０１ｆは、ＬＤ５０１ｄから出射される光を発振波長が多数あるマルチモード化するために設けられている。
【００３３】
また、本実施形態では、ＡＰＣ回路５０１ｂは、ＬＤ５０１ｄに駆動電流を供給する駆動回路５０１ｇと、駆動回路５０１ｇからＬＤ５０１ｄに供給される駆動電流を制御する制御部５０１ｈとを含んでいる。制御部５０１ｈは、選択回路５０１ｉと、電流電圧変換部であるＬＤ出力検出部５０１ｊと、誤差増幅部５０１ｋとを有する。選択回路５０１ｉには、マイクロコンピュータ部８（図２参照）からコントロール信号が供給されている。また、選択回路５０１ｉは、コントロール信号に応じて、ＬＤ５０１ｄから出射される出射光量を選択するために設けられている。具体的には、選択回路５０１ｉは、ＤＩＦＦ測定モード時にＬＤ５０１ｄの出力を３．４ｍＷに設定するように構成されている。また、選択回路５０１ｉは、ＲＥＴ測定モード時にＬＤ５０１ｄの出力を６ｍＷに設定するように構成されている。また、選択回路５０１ｉは、ＰＬＴ測定モード時にＬＤ５０１ｄの出力を１０ｍＷに設定するように構成されている。なお、選択回路５０１ｉは、測定モード以外のときにＬＤ５０１ｄをオフ状態に設定するように構成されている。
【００３４】
また、本実施形態では、ＬＤ出力検出部５０１ｊは、ＰＤ５０１ｅから出力された電気信号に基づいてＬＤ５０１ｄから出射された出射光量を検出するために設けられている。誤差増幅部５０１ｋは、ＬＤ出力検出部５０１ｊにより検出されたＬＤ５０１ｄから出射された出射光量と、選択回路５０１ｉにより選択された出射光量とを比較するとともに、ＬＤ５０１ｄから出射された出射光量が選択回路５０１ｉにより選択された出射光量に近づくように駆動回路５０１ｇを制御するために設けられている。
【００３５】
また、本実施形態では、高周波バイアス電圧調整回路５０１ｃには、マイクロコンピュータ部８（図２参照）からコントロール信号が供給されている。また、高周波バイアス電圧調整回路５０１ｃは、コントロール信号に応じて高周波発振回路５０１ｆに供給するバイアス電圧を調整するために設けられている。具体的には、高周波バイアス電圧調整回路５０１ｃは、ＬＤ５０１ｄの出力が大きくなれば、バイアス電圧も大きくなるように構成されている。
【００３６】
アナログ処理部６は、図４に示すように、アンプ６１、６２および６３を含んでいる。また、アンプ６１、６２および６３は、それぞれ、ＰＤ５０６、５１１およびＡＰＤ５１２から出力された電気信号を増幅および波形処理するために設けられている。
【００３７】
マイクロコンピュータ部８は、図２に示すように、制御用プロセッサおよび制御用プロセッサを動作させるためのメモリを有する制御部８１と、アナログ処理部６から出力された信号をデジタル信号に変換するＡ／Ｄ変換部８２と、Ａ／Ｄ変換部８２から出力されたデジタル信号に所定の処理を行うための演算部８３とを含んでいる。制御部８１は、バス８４ａおよびインターフェース８５ａを介して装置機構部４および検出部５を制御する機能を有する。また、制御部８１は、バス８４ａおよびインターフェース８５ｂを介して表示・操作部７と接続されるとともに、バス８４ｂおよびインターフェース８５ｃを介してデータ処理部３と接続されている。また、演算部８３は、演算結果をインターフェース８５ｄおよびバス８４ａを介して制御部８１に出力する機能を有する。また、制御部８１は、演算結果（測定データ）をデータ処理部３に送信する機能を有する。
【００３８】
データ処理部３は、図１に示すように、パーソナルコンピュータ（ＰＣ）などからなり、測定部２の測定データを解析するとともに、その解析結果を表示する機能を有する。また、データ処理部３は、制御部３０１と、表示部３０２と、入力デバイス３０３とを含んでいる。制御部３０１は、測定モード情報を含む測定開始信号およびシャットダウン信号を測定部２に送信する機能を有する。また、制御部３０１は、図６に示すように、ＣＰＵ３０１ａと、ＲＯＭ３０１ｂと、ＲＡＭ３０１ｃと、ハードディスク３０１ｄと、読出装置３０１ｅと、入出力インターフェース３０１ｆと、画像出力インターフェース３０１ｇとにより構成されている。ＣＰＵ３０１ａ、ＲＯＭ３０１ｂ、ＲＡＭ３０１ｃ、ハードディスク３０１ｄ、読出装置３０１ｅ、入出力インターフェース３０１ｆおよび画像出力インターフェース３０１ｇは、バス３０１ｈによって接続されている。
【００３９】
ＣＰＵ３０１ａは、ＲＯＭ３０１ｂに記憶されているコンピュータプログラムおよびＲＡＭ３０１ｃにロードされたコンピュータプログラムを実行するために設けられている。ＲＯＭ３０１ｂは、マスクＲＯＭ、ＰＲＯＭ、ＥＰＲＯＭ、ＥＥＰＲＯＭなどによって構成されており、ＣＰＵ３０１ａに実行されるコンピュータプログラムおよびこれに用いるデータなどが記録されている。
【００４０】
ＲＡＭ３０１ｃは、ＳＲＡＭまたはＤＲＡＭなどによって構成されている。ＲＡＭ３０１ｃは、ＲＯＭ３０１ｂおよびハードディスク３０１ｄに記録されているコンピュータプログラムの読み出しに用いられる。また、これらのコンピュータプログラムを実行するときに、ＣＰＵ３０１ａの作業領域として利用される。
【００４１】
ハードディスク３０１ｄは、オペレーティングシステムおよびアプリケーションプログラムなど、ＣＰＵ３０１ａに実行させるための種々のコンピュータプログラムおよびそのコンピュータプログラムの実行に用いるデータがインストールされている。後述するアプリケーションプログラム３０４ａも、このハードディスク３０１ｄにインストールされている。
【００４２】
読出装置３０１ｅは、フレキシブルディスクドライブ、ＣＤ−ＲＯＭドライブ、またはＤＶＤ−ＲＯＭドライブなどによって構成されており、可搬型記録媒体３０４に記録されたコンピュータプログラムまたはデータを読み出すことができる。また、可搬型記録媒体３０４には、コンピュータに所定の機能を実現させるためのアプリケーションプログラム３０４ａが格納されており、データ処理部３としてのコンピュータがその可搬型記録媒体３０４からアプリケーションプログラム３０４ａを読み出し、そのアプリケーションプログラム３０４ａをハードディスク３０１ｄにインストールすることが可能である。
【００４３】
なお、上記アプリケーションプログラム３０４ａは、可搬型記録媒体３０４によって提供されるのみならず、電気通信回線（有線、無線を問わない）によってデータ処理部３と通信可能に接続された外部の機器から上記電気通信回線を通じて提供することも可能である。たとえば、上記アプリケーションプログラム３０４ａがインターネット上のサーバコンピュータのハードディスク内に格納されており、このサーバコンピュータにデータ処理部３がアクセスして、そのアプリケーションプログラム３０４ａをダウンロードし、これをハードディスク３０１ｄにインストールすることも可能である。
【００４４】
また、ハードディスク３０１ｄには、たとえば、米マイクロソフト社が製造販売するＷｉｎｄｏｗｓ（登録商標）などのグラフィカルユーザインタフェース環境を提供するオペレーティングシステムがインストールされている。以下の説明においては、本実施形態に係るアプリケーションプログラム３０４ａは上記オペレーティングシステム上で動作するものとしている。
【００４５】
入出力インターフェース３０１ｆは、たとえば、ＵＳＢ、ＩＥＥＥ１３９４、ＲＳ−２３２Ｃなどのシリアルインタフェース、ＳＣＳＩ、ＩＤＥ、ＩＥＥＥ１２８４などのパラレルインタフェース、およびＤ／Ａ変換器、Ａ／Ｄ変換器などからなるアナログインタフェースなどから構成されている。入出力インターフェース３０１ｆには、キーボードおよびマウスからなる入力デバイス３０３が接続されており、ユーザがその入力デバイス３０３を使用することにより、データ処理部３にデータを入力することが可能である。また、入力デバイス３０３は、測定モードを受け付ける機能を有する。具体的には、入力デバイス３０３は、所定の血液に対して、ＤＩＦＦ測定、ＲＥＴ測定およびＰＬＴ測定をそれぞれ行うか否かを受け付ける機能を有する。
【００４６】
画像出力インターフェース３０１ｇは、ＬＣＤまたはＣＲＴなどで構成された表示部３０２に接続されており、ＣＰＵ３０１ａから与えられた画像データに応じた映像信号を表示部３０２に出力するようになっている。表示部３０２は、入力された映像信号にしたがって、画像（画面）を表示する。
【００４７】
図７は、本発明の一実施形態による血液分析装置の血液分析動作を説明するためのフローチャートである。次に、図１〜図３、図６および図７を参照して、本発明の一実施形態による血液分析装置１の血液分析動作について説明する。
【００４８】
まず、測定部２では、図７のステップＳ１において、測定部２（図１参照）の図示しないメインスイッチがオンされると、制御部８１（図２参照）の初期化が行われるとともに、測定部２の各部の動作チェックが行われる。その後、ステップＳ２に進む。
【００４９】
また、データ処理部３では、図７のステップＳ２１において、制御部３０１（図６参照）の初期化（プログラムの初期化）が行われる。そして、制御部３０１により、表示部３０２（図１参照）にメニュー画面（図示せず）が表示される。なお、メニュー画面とは、ＤＩＦＦ測定モード、ＲＥＴ測定モードおよびＰＬＴ測定モードをそれぞれ設定するか否かをユーザに選択させるとともに、測定開始指示およびシャットダウン指示をユーザから受け付けるための画面である。
【００５０】
次に、ステップＳ２２において、制御部３０１により、測定モードの入力を受け付けたか否かが判断される。そして、制御部３０１により、測定モードの入力を受け付けたと判断された場合には、ステップＳ２３において、制御部３０１により、測定モードの設定変更が行われる。具体的には、入力デバイス３０３（図１参照）により受け付けた測定モードが設定される。その一方、制御部３０１により、測定モードの入力を受け付けたと判断された場合には、ステップＳ２４に進む。
【００５１】
次に、ステップＳ２４において、制御部３０１により、測定開始指示を受け付けたか否かが判断される。そして、制御部３０１により、測定開始指示を受け付けたと判断された場合には、ステップＳ２５に進む。その一方、制御部３０１により、測定開始指示を受け付けていないと判断された場合には、ステップＳ３１に進む。次に、ステップＳ２５において、制御部３０１により、測定モード情報を含む測定開始信号が測定部２に送信される。その後、ステップＳ２６に進む。
【００５２】
また、測定部２では、ステップＳ２において、制御部８１により、データ処理部３から測定開始信号を受信したか否かが判断される。そして、制御部８１により、測定開始信号を受信したと判断された場合には、ステップＳ３に進む。その一方、制御部８１により、測定開始信号を受信していないと判断された場合には、ステップＳ１３に進む。
【００５３】
次に、ステップＳ３において、制御部８１により、測定開始情報内の測定モードが記憶される。具体的には、ＤＩＦＦ測定モード、ＲＥＴ測定モードおよびＰＬＴ測定モードが設定されているか否かが記憶される。そして、ステップＳ４において、設定された測定モード用の血液が吸引される。具体的には、吸引ピペットにより、採血管１１（図３参照）内の血液がサンプリングバルブ１２（図３参照）に吸引される。その後、ステップＳ５において、設定された測定モード用の測定試料が調製される。具体的には、サンプリングバルブ１２に所定の薬剤が供給されることにより、所定量の血液と所定量の薬剤とが混合されて希釈試料が生成される。そして、その希釈試料が反応チャンバ１３（図３参照）に供給されるとともに、所定量の染色液が反応チャンバ１３に供給される。これにより、希釈試料と染色液とを混合させて所定の時間反応させる。
【００５４】
次に、ステップＳ６において、制御部８１により、ＤＩＦＦ測定モードの設定がされているか否かが判断される。そして、制御部８１により、ＤＩＦＦ測定モードの設定がされていると判断された場合には、ステップＳ７において、ＤＩＦＦ測定が行われる。なお、ＤＩＦＦ測定の動作については、後で詳細に説明する。その一方、制御部８１により、ＤＩＦＦ測定モードの設定がされていないと判断された場合には、ステップＳ８に進む。
【００５５】
次に、ステップＳ８において、制御部８１により、ＲＥＴ測定モードの設定がされているか否かが判断される。そして、制御部８１により、ＲＥＴ測定モードの設定がされていると判断された場合には、ステップＳ９において、ＲＥＴ測定が行われる。なお、ＲＥＴ測定の動作については、後で詳細に説明する。その一方、制御部８１により、ＲＥＴ測定モードの設定がされていないと判断された場合には、ステップＳ１０に進む。
【００５６】
次に、ステップＳ１０において、制御部８１により、ＰＬＴ測定モードの設定がされているか否かが判断される。そして、制御部８１により、ＰＬＴ測定モードの設定がされていると判断された場合には、ステップＳ１１において、ＰＬＴ測定が行われる。なお、ＰＬＴ測定の動作については、後で詳細に説明する。その一方、制御部８１により、ＰＬＴ測定モードの設定がされていないと判断された場合には、ステップＳ１２に進む。
【００５７】
次に、ステップＳ１２において、制御部８１により、設定された測定モードの測定結果（測定データ）がバス８４ｂ（図３参照）およびインターフェース８５ｃ（図３参照）を介してデータ処理部３に送信される。その後、ステップＳ１３に進む。
【００５８】
また、データ処理部３では、ステップＳ２６において、制御部３０１により、測定部２から測定結果（測定データ）を受信したか否かが判断される。そして、制御部３０１により、測定データを受信したと判断された場合には、ステップＳ２７に進む。その一方、制御部３０１により、測定データを受信していないと判断された場合には、測定データを受信したと判断されるまでステップＳ２６が繰り返し行われる。
【００５９】
次に、ステップＳ２７において、ＣＰＵ３０１ａ（図６参照）により、受信した測定データがハードディスク３０１ｄ（図６参照）に記憶される。その後、ステップＳ２８において、ＣＰＵ３０１ａにより、測定データがＲＡＭ３０１ｃ（図６参照）に読み出される。そして、ステップＳ２９において、ＣＰＵ３０１ａにより、ＲＡＭ３０１ｃに読み出された測定データが、解析処理される。さらに、ステップＳ３０において、解析処理されたデータは、ＣＰＵ３０１ａにより、画像出力インターフェース３０１ｇを介して表示部３０２に出力される。具体的には、ステップＳ７において、ＤＩＦＦ測定が行われた場合には、血液中のリンパ球、単球、好中球、好塩基球および好酸球の分類および計数の解析処理が行われた後、図８に示すようなスキャッタグラムが表示される。また、ステップＳ９において、ＲＥＴ測定が行われた場合には、血液中の網状赤血球の分類および計数の解析処理が行われた後、図９に示すようなスキャッタグラムが表示される。また、ステップＳ１１において、ＰＬＴ測定が行われた場合には、血液中の血小板の分類および計数の解析処理が行われた後、図１０に示すようなスキャッタグラムが表示される。そして、図８〜図１０に示したようなスキャッタグラムが表示されることにより、各測定モード時において、各測定対象に適した出射光量で測定した測定結果を使用者に視覚的に認識させることが可能である。
【００６０】
次に、ステップＳ３１において、制御部３０１により、シャットダウン指示を受け付けたか否かが判断される。そして、制御部３０１により、シャットダウン指示を受け付けたと判断された場合には、ステップＳ３２において、シャットダウン信号を測定部２に送信後、処理が終了する。その一方、制御部３０１により、シャットダウン指示を受け付けていないと判断された場合には、ステップＳ２２に戻る。
【００６１】
また、測定部２では、ステップＳ１３において、制御部８１により、データ処理部３からシャットダウン信号を受信したか否かが判断される。そして、制御部８１により、シャットダウン信号を受信したと判断された場合には、ステップＳ１４において、測定部２のシャットダウンが行われ、処理が終了する。その一方、ステップＳ１３において、制御部８１により、シャットダウン信号を受信していないと判断された場合には、ステップＳ２に戻る。
【００６２】
図１１は、本発明の一実施形態による血液分析装置のＤＩＦＦ測定時の動作を説明するためのフローチャートである。次に、図２、図４、図５および図１１を参照して、図７に示したステップＳ７のＤＩＦＦ測定の詳細について説明する。
【００６３】
まず、図１１のステップＳ４１において、制御部８１（図２参照）により、ＬＤ５０１ｄ（図５参照）の出力が３．４ｍＷに設定される。そして、ステップＳ４２において、レーザ光がシースフローセル５０３（図４参照）に照射される。具体的には、制御部８１から選択回路５０１ｉ（図５参照）にコントロール信号が供給される。これにより、制御部５０１ｈ（図５参照）がＬＤ５０１ｄの出力を３．４ｍＷにするような駆動電流を出力するように駆動回路５０１ｇ（図５参照）を制御する。なお、このとき、制御部８１から高周波バイアス電圧調整回路５０１ｃにコントロール信号が供給されることにより、所定のバイアス電圧が高周波発振回路５０１ｆに供給される。これにより、駆動回路５０１ｇから出力される駆動電流には、高周波発振回路５０１ｆから駆動電流に応じた信号が重畳される。
【００６４】
次に、ステップＳ４３において、制御部８１により、シースフローセル５０３に白血球測定用試料がシース液とともに供給される。そして、ステップＳ４４において、制御部８１により、計時が開始される。そして、シースフローセル５０３の内部を通過する白血球にレーザ光が照射されることにより、白血球から前方散乱光、側方散乱光および側方蛍光が発せられる。そして、白血球から発せられた側方散乱光および側方蛍光は、それぞれ、ＰＤ５１１およびＡＰＤ５１２（図４参照）により受光されるとともに、それぞれ、アナログの電気信号に変換される。そして、側方散乱光の電気信号および側方蛍光の電気信号は、それぞれ、アンプ６２および６３（図４参照）を介してＡ／Ｄ変換部８２（図２参照）に送信される。
【００６５】
次に、ステップＳ４５において、演算部８３（図２参照）により、側方散乱光および側方蛍光の特徴パラメータが取得される。次に、ステップＳ４６において、制御部８１により、計時開始から所定の時間経過したか否かが判断される。そして、制御部８１により、計時開始から所定の時間経過していないと判断された場合には、ステップＳ４５に戻る。つまり、計時開始から所定の時間経過するまでステップＳ４５の動作が繰り返し行われる。その一方、ステップＳ４６において、計時開始から所定の時間経過したと判断された場合には、ステップＳ４７において、レーザ光の照射が停止される。具体的には、制御部８１から選択回路５０１ｉにコントロール信号が供給されることにより、制御部５０１ｈがＬＤ５０１ｄをオフ状態にするように駆動回路５０１ｇを制御する。すなわち、制御部５０１ｈにより、駆動回路５０１ｇからＬＤ５０１ｄに供給される駆動電流が停止される。そして、ステップＳ４８において、白血球測定用試料の供給が停止される。その後、ステップＳ４９において、シースフローセル５０３の洗浄が行われる。
【００６６】
図１２は、本発明の一実施形態による血液分析装置のＲＥＴ測定時の動作を説明するためのフローチャートである。次に、図２、図４、図５および図１２を参照して、図７に示したステップＳ９のＲＥＴ測定の詳細について説明する。
【００６７】
まず、図１２のステップＳ５１において、制御部８１（図２参照）により、ＬＤ５０１ｄ（図５参照）の出力が６ｍＷに設定される。そして、ステップＳ５２において、レーザ光がシースフローセル５０３（図４参照）に照射される。具体的には、制御部８１から選択回路５０１ｉ（図５参照）にコントロール信号が供給される。これにより、制御部５０１ｈ（図５参照）がＬＤ５０１ｄの出力を６ｍＷにするような駆動電流を出力するように駆動回路５０１ｇ（図５参照）を制御する。なお、このとき、制御部８１から高周波バイアス電圧調整回路５０１ｃにコントロール信号が供給されることにより、所定のバイアス電圧が高周波発振回路５０１ｆに供給される。これにより、駆動回路５０１ｇから出力される駆動電流には、高周波発振回路５０１ｆから駆動電流に応じた信号が重畳される。
【００６８】
次に、ステップＳ５３において、制御部８１により、シースフローセル５０３に網状赤血球測定用試料がシース液とともに供給される。そして、ステップＳ５４において、制御部８１により、計時が開始される。そして、シースフローセル５０３の内部を通過する網状赤血球にレーザ光が照射されることにより、網状赤血球から前方散乱光、側方散乱光および側方蛍光が発せられる。そして、網状赤血球から発せられた前方散乱光および側方蛍光は、それぞれ、ＰＤ５０６およびＡＰＤ５１２（図４参照）により受光されるとともに、それぞれ、アナログの電気信号に変換される。そして、前方散乱光の電気信号および側方蛍光の電気信号は、それぞれ、アンプ６１および６３（図４参照）を介してＡ／Ｄ変換部８２（図２参照）に送信される。
【００６９】
次に、ステップＳ５５において、演算部８３（図２参照）により、前方散乱光および側方蛍光の特徴パラメータが取得される。次に、ステップＳ５６において、制御部８１により、計時開始から所定の時間経過したか否かが判断される。そして、制御部８１により、計時開始から所定の時間経過していないと判断された場合には、ステップＳ５５に戻る。つまり、計時開始から所定の時間経過するまでステップＳ５５の動作が繰り返し行われる。その一方、ステップＳ５６において、計時開始から所定の時間経過したと判断された場合には、ステップＳ５７において、レーザ光の照射が停止される。具体的には、制御部８１から選択回路５０１ｉにコントロール信号が供給されることにより、制御部５０１ｈがＬＤ５０１ｄをオフ状態にするように駆動回路５０１ｇを制御する。すなわち、制御部５０１ｈにより、駆動回路５０１ｇからＬＤ５０１ｄに供給される駆動電流が停止される。そして、ステップＳ５８において、網状赤血球測定用試料の供給が停止される。その後、ステップＳ５９において、シースフローセル５０３の洗浄が行われる。
【００７０】
図１３は、本発明の一実施形態による血液分析装置のＰＬＴ測定時の動作を説明するためのフローチャートである。次に、図２、図４、図５および図１３を参照して、図７に示したステップＳ１１のＰＬＴ測定の詳細について説明する。
【００７１】
まず、図１３のステップＳ６１において、制御部８１（図２参照）により、ＬＤ５０１ｄ（図５参照）の出力が１０ｍＷに設定される。そして、ステップＳ６２において、レーザ光がシースフローセル５０３（図４参照）に照射される。具体的には、制御部８１から選択回路５０１ｉ（図５参照）にコントロール信号が供給される。これにより、制御部５０１ｈ（図５参照）がＬＤ５０１ｄの出力を１０ｍＷにするような駆動電流を出力するように駆動回路５０１ｇ（図５参照）を制御する。なお、このとき、制御部８１から高周波バイアス電圧調整回路５０１ｃにコントロール信号が供給されることにより、所定のバイアス電圧が高周波発振回路５０１ｆに供給される。これにより、駆動回路５０１ｇから出力される駆動電流には、高周波発振回路５０１ｆから駆動電流に応じた信号が重畳される。
【００７２】
次に、ステップＳ６３において、制御部８１により、シースフローセル５０３に血小板測定用試料がシース液とともに供給される。そして、ステップＳ６４において、制御部８１により、計時が開始される。そして、シースフローセル５０３の内部を通過する血小板にレーザ光が照射されることにより、血小板から前方散乱光、側方散乱光および側方蛍光が発せられる。そして、血小板から発せられた前方散乱光および側方蛍光は、それぞれ、ＰＤ５０６およびＡＰＤ５１２（図４参照）により受光されるとともに、それぞれ、アナログの電気信号に変換される。そして、前方散乱光の電気信号および側方蛍光の電気信号は、それぞれ、アンプ６１および６３（図４参照）を介してＡ／Ｄ変換部８２（図２参照）に送信される。
【００７３】
次に、ステップＳ６５において、演算部８３（図２参照）により、前方散乱光および側方蛍光の特徴パラメータが取得される。次に、ステップＳ６６において、制御部８１により、計時開始から所定の時間経過したか否かが判断される。そして、制御部８１により、計時開始から所定の時間経過していないと判断された場合には、ステップＳ６５に戻る。つまり、計時開始から所定の時間経過するまでステップＳ６５の動作が繰り返し行われる。その一方、ステップＳ６６において、計時開始から所定の時間経過したと判断された場合には、ステップＳ６７において、レーザ光の照射が停止される。具体的には、制御部８１から選択回路５０１ｉにコントロール信号が供給されることにより、制御部５０１ｈがＬＤ５０１ｄをオフ状態にするように駆動回路５０１ｇを制御する。すなわち、制御部５０１ｈにより、駆動回路５０１ｇからＬＤ５０１ｄに供給される駆動電流が停止される。そして、ステップＳ６８において、血小板測定用試料の供給が停止される。その後、ステップＳ６９において、シースフローセル５０３の洗浄が行われる。
【００７４】
本実施形態では、上記のように、ＬＤ５０１ｄから出射される出射光量を選択する選択回路５０１ｉを設けることによって、選択回路５０１ｉにより、測定モードに応じて出射光量を調整することができる。このため、ＤＩＦＦ測定時に出射光量を３．４ｍＷにするとともに、ＰＬＴ測定時に出射光量を１０ｍＷにすることにより、ＤＩＦＦ測定およびＰＬＴ測定のいずれの場合にも精度を向上させることができる。
【００７５】
また、本実施形態では、測定モードを受け付ける入力デバイス３０３を設けることによって、容易に、ＤＩＦＦ測定、ＲＥＴ測定およびＰＬＴ測定をそれぞれ行うか否かを受け付けることができる。
【００７６】
また、本実施形態では、ＬＤ５０１ｄに駆動電流を供給する駆動回路５０１ｇと、駆動回路５０１ｇを制御する制御部５０１ｈとを設けることによって、制御部５０１ｈにより、選択回路５０１ｉにより選択された出射光量に対応する駆動電流を駆動回路５０１ｇからＬＤ５０１ｄに供給することができるので、容易に、測定モードに応じて出射光量を調整することができる。また、ＬＤ５０１ｄからの光の出射が不要な場合には、ＬＤ５０１ｄからのレーザ光の出射を停止させることができるので、ＬＤ５０１ｄの寿命を延ばすことができる。
【００７７】
また、本実施形態では、制御部５０１ｈを、選択回路５０１ｉにより選択された出射光量と、ＬＤ５０１ｄから出射された出射光量とを比較するとともに、ＬＤ５０１ｄから出射された出射光量が選択回路５０１ｉにより選択された出射光量に近づくように駆動回路５０１ｇを制御するように構成することによって、環境温度などに起因して、ＬＤ５０１ｄから出射された出射光量が選択回路５０１ｉにより選択された出射光量と異なる場合に、ＬＤ５０１ｄから出射された出射光量が選択回路５０１ｉにより選択された出射光量に近づくようにすることができる。このため、ＬＤ５０１ｄから出射された出射光量と選択回路５０１ｉにより選択された出射光量とにばらつきが発生するのを抑制することができるので、測定精度が低下するのを抑制することができる。
【００７８】
また、本実施形態では、ＬＤ５０１ｄから出射されたレーザ光を受光して電気信号に変換するＰＤ５０１ｅと、ＰＤ５０１ｅから出力された電気信号に基づいてＬＤ５０１ｄから出射された出射光量を検出するＬＤ出力検出部５０１ｊとを設けることによって、ＬＤ出力検出部５０１ｊにより検出されたＬＤ５０１ｄから出射された出射光量に基づいて、駆動回路５０１ｇがＬＤ５０１ｄに供給する駆動電流を調整することができるので、容易に、ＬＤ５０１ｄから出射された出射光量が選択回路５０１ｉにより選択された出射光量に近づくようにすることができる。
【００７９】
また、本実施形態では、ＬＤ５０１ｄに供給される駆動電流に重畳される信号を生成するための高周波発振回路５０１ｆと、選択回路５０１ｉにより選択された出射光量に応じて高周波発振回路５０１ｆに供給するバイアス電圧を調整するための高周波バイアス電圧調整回路５０１ｃとを設けることによって、高周波バイアス電圧調整回路５０１ｃにより、選択された出射光量に応じて高周波発振回路５０１ｆが駆動電流に重畳する信号を調整することができるので、選択された出射光量にかかわらず、ＬＤ５０１ｄから出射される光を発振波長が多数あるマルチモード化することができる。これにより、ＬＤ５０１ｄから出射される光が単一の発振波長を有するシングルモードである場合に問題となる、発振モードが他のモードに変化するモードホッピングが発生するのを抑制することができるので、測定精度が低下するのを抑制することができる。
【００８０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８１】
たとえば、上記実施形態では、本発明を分析装置の一例である血液分析装置１に適用する例を示したが、本発明はこれに限らず、尿などのその他の生体試料中の成分を測定する分析装置に適用してもよい。
【００８２】
また、上記実施形態では、ＤＩＦＦ測定、ＲＥＴ測定およびＰＬＴ測定をそれぞれ行うか否かを受け付ける機能を有する入力デバイス３０３を設ける例を示したが、本発明はこれに限らず、ＤＩＦＦ測定、ＲＥＴ測定およびＰＬＴ測定をそれぞれ行うか否かをサーバコンピュータなどから電気通信回線を介して受け付けるようにしてもよい。
【００８３】
また、上記実施形態では、ＬＤ５０１ｄに供給する駆動電流を制御することにより、ＬＤ５０１ｄの出力を選択する選択回路５０１ｉを設ける例を示したが、本発明はこれに限らず、レーザ光の経路上に所定の減光フィルタ配置することにより、ＬＤの出力を選択する選択回路を設けてもよい。
【００８４】
また、上記実施形態では、測定部２とデータ処理部３とをそれぞれ別個の装置として構成する例を示したが、本発明はこれに限らず、測定部とデータ処理部とを一体の装置として構成してもよい。
【００８５】
また、上記実施形態では、ＬＤ５０１ｄの出力を３．４ｍＷ、６ｍＷまたは１０ｍＷに設定する例を示したが、本発明はこれに限らず、ＬＤの出力を他の値に設定してもよい。
【図面の簡単な説明】
【００８６】
【図１】本発明の一実施形態による血液分析装置を示した斜視図である。
【図２】図１に示した一実施形態による血液分析装置の構成を示したブロック図である。
【図３】図１に示した一実施形態による血液分析装置の試料調製部を説明するための図である。
【図４】図１に示した一実施形態による血液分析装置の検出部を示した概略図である。
【図５】図１に示した一実施形態による血液分析装置の発光部の構成を示したブロック図である。
【図６】図１に示した一実施形態による血液分析装置のデータ処理部の構成を示したブロック図である。
【図７】本発明の一実施形態による血液分析装置の血液分析動作を説明するためのフローチャートである。
【図８】本発明の一実施形態による血液分析装置のＤＩＦＦ測定の結果を示したスキャッタグラムである。
【図９】本発明の一実施形態による血液分析装置のＲＥＴ測定の結果を示したスキャッタグラムである。
【図１０】本発明の一実施形態による血液分析装置のＰＬＴ測定の結果を示したスキャッタグラムである。
【図１１】本発明の一実施形態による血液分析装置のＤＩＦＦ測定の動作を説明するためのフローチャートである。
【図１２】本発明の一実施形態による血液分析装置のＲＥＴ測定の動作を説明するためのフローチャートである。
【図１３】本発明の一実施形態による血液分析装置のＰＬＴ測定の動作を説明するためのフローチャートである。
【符号の説明】
【００８７】
１  血液分析装置（分析装置）
４１  試料調製部
３０１  制御部（分析部）
３０３  入力デバイス（入力部）
５０１ｃ  高周波バイアス電圧調整回路（第２制御部、バイアス電圧調整回路）
５０１ｄ  ＬＤ（出射部）
５０１ｅ  ＰＤ（第２受光部）
５０１ｆ  高周波発振回路（発振回路）
５０１ｇ  駆動回路
５０１ｈ  制御部（第１制御部）
５０１ｉ  選択回路（選択手段）
５０１ｊ  ＬＤ出力検出部（検出部）
５０３  シースフローセル（フローセル）
５０６、５１１  ＰＤ（第１受光部）
５１２  ＡＰＤ（第１受光部）
【図１】
2008241672.tif 000003
【図２】
2008241672.tif 000004
【図３】
2008241672.tif 000005
【図４】
2008241672.tif 000006
【図５】
2008241672.tif 000007
【図６】
2008241672.tif 000008
【図７】
2008241672.tif 000009
【図８】
2008241672.tif 000010
【図９】
2008241672.tif 000011
【図１０】
2008241672.tif 000012
【図１１】
2008241672.tif 000013
【図１２】
2008241672.tif 000014
【図１３】
2008241672.tif 000015